(57)【要約】      （修正有）【課題】従来の機能を利用してソース切り換えの状態遷移をＩＴＵ−Ｔ  Ｇ．７８１勧告に準拠する伝送装置を提供する。【解決手段】電源投入後の強制フリーランモードから顧客の指示によりホールドオーバー用のメモリをリセットする自動選択フリーランモードに遷移する。また、自動選択モードからタイミングソースの優先度設定によりホールドオーバー用メモリを更新する自動選択第一ロックモードに遷移する。【選択図】図１７
2006121741.tif 000002
【特許請求の範囲】
【請求項１】
ＳＤＨ方式の伝送装置において、
電源投入後の強制フリーランモードから顧客の指示によりホールドオーバー用のメモリをリセットする自動選択フリーランモードに遷移することを特徴とする伝送装置。
【請求項２】
請求項１記載の伝送装置において、
前記自動選択フリーランモードからタイミングソースの優先度設定によりホールドオーバー用メモリを更新する自動選択第１ロックドモードに遷移することを特徴とする伝送装置。
【請求項３】
請求項２記載の伝送装置において、
前記自動選択第１ロックドモードから前記ホールドオーバー用メモリの更新が一周以上したことにより前記ホールドオーバー用メモリを更新を続け優先度設定された全てのタイミングソースの断によりホールドオーバーモードに遷移する自動選択第２ロックドモードに遷移することを特徴とする伝送装置。
【請求項４】
請求項３記載の伝送装置において、
前記自動選択第２ロックドモードから前記ホールドオーバー用メモリの更新が一周未満における優先度設定された全てのタイミングソースの断により前記自動選択フリーランモードに遷移することを特徴とする伝送装置。
【発明の詳細な説明】
【技術分野】
【０００１】
本発明は、伝送装置に関し、ＳＤＨ（Ｓｙｎｃｈｒｏｎｏｕｓ  Ｄｉｇｉｔａｌ  Ｈｉｅｒａｒｃｈｙ）方式を採用した伝送装置に関する。
【背景技術】
【０００２】
ＳＤＨ（Ｓｙｎｃｈｒｏｎｏｕｓ  Ｄｉｇｉｔａｌ  Ｈｉｅｒａｒｃｈｙ）方式は、北米においては、ＳＯＮＥＴとして採用されており、本明細書ではこれらの変形方式をも含む概念として、ＳＤＨ方式という言葉を使用して説明する。ＳＤＨ方式を採用した伝送装置が誕生して既に１０年以上が経過しているが、当初は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）でも勧告が行われていない分野が多く、そのような分野については各メーカーが独自の方式を採用しており、同期方法に関する分野も同等であり、つい最近まで勧告が無かった。
【０００３】
図１はＳＤＨ伝送装置の一例の概念図を示す。同図中、集合側のチャネル装置１０〜１３は、主に高速の同期転送モジュールＳＴＭ−ｎ（Ｓｙｎｃｈｒｏｎｏｕｓ  Ｔｒａｎｓｐｏｒｔ  Ｍｏｄｕｌｅ）の送受信を行い、外部より受信した同期転送モジュールＳＴＭ−ｎをクロスコネクト及び同期部１５に供給し、また、クロスコネクト及び同期部１５から供給される同期転送モジュールＳＴＭ−ｎを外部に送信する。支流側のチャネル装置１７〜２０は、主に低速の同期転送モジュールＳＴＭ−ｎまたは２Ｍｂｐｓの信号ユニットの送受信を行い、外部より受信した同期転送モジュールＳＴＭ−ｎまたは２Ｍｂｐｓの信号ユニットをクロスコネクト及び同期部１５に供給し、また、クロスコネクト及び同期部１５から供給される同期転送モジュールＳＴＭ−ｎまたは２Ｍｂｐｓの信号ユニットを外部に送信する。
【０００４】
クロスコネクト及び同期部１５は、クロスコネクト機能と同期機能を持つ。クロスコネクト及び同期部１５の外部入力／外部出力は、同期用の外部インタフェフェースである。マイクロコンピュータ２２は装置全体を制御し、顧客とのインタフェフェースをつかさどる。ＮＭＳ（Ｎｅｔｗｏｒｋ  Ｍａｎａｇｅｍｅｎｔ  Ｓｙｓｔｅｍ）は顧客操作をマイクロコンピュータ２２に通知する。
【０００５】
図２は、クロスコネクト及び同期部１５内の従来の同期部３０の一例のブロック図を示す。同図中、タイミングソースインタフェース部（Ｔｉｍｉｎｇ  Ｓｏｕｒｃｅ  Ｉｎｔｅｒｆａｃｅ）３２は、各種タイミング信号のインタフェース機能を持つ。内部クロック源３４は３２．７６８ＭＨｚ±４．６ｐｐｍの内部クロックを生成する固定発振器であり、内部クロックはタイミングソースとして使用される他に、ホールドオーバー動作用のクロックとしても使用される。
【０００６】
ＥＣ（Ｅｑｕｉｐｍｅｎｔ  Ｃｌｏｃｋ）選択部３６は、ＥＣ側のタイミングソース（信号から抽出したクロック）をタイミングソース選択部３８からの情報により切り替える。ホールドオーバー部４０は、ＥＣ側のタイミングソースが全て未使用となった場合に陥るホールドオーバー機能を提供する。ＰＬＬ４２は  ＥＣ選択部３６で選択されたタイミングソースを基準として、装置クロックＥＣをタイミングソースに同期させるために設けられている。
【０００７】
ＥＣ生成部４４は装置クロック及び装置クロックに同期したＥＣ２Ｍｂｐｓ及びＥＣ２ＭＨｚを生成する。なお、ＥＣ２Ｍｂｐｓ及びＬＣ２Ｍｂｐｓとは、特定ビットパターンを持つ伝送レート２Ｍｂｐｓ信号であり、ＥＣ２ＭＨｚ及びＬＣ２ＭＨｚとは、周波数２ＭＨｚのクロックである。モード選択部４６は、マイクロコンピュータ２２のプロビジョニング項目により外部出力をＥＣ生成部４４からの信号もしくはＬＣ生成部４８からの信号に切り替える。
【０００８】
ＬＣ生成部４８は、ＬＣ選択部５０で選択されたタイミングソースに同期したＬＣ（Ｌｉｎｅ  Ｃｌｏｃｋ）２Ｍｂｐｓ及びＬＣ２ＭＨｚを生成する。ＬＣ選択部５０は、ＬＣ側のタイミングソースをタイミングソース選択部３８からの情報により切り替える。タイミングソース選択部３８は、優先度が設定されているタイミングソースの品質値を比較し、この比較結果に応じてＥＣ選択部３６及びＬＣ選択部５０の切替え制御を行う。
【０００９】
ＳＳＭ変換部５２は、受信した信号の同期状態を表すＳＳＭ（Ｓｙｎｃｈｒｏｎｉｚａｔｉｏｎ  Ｓｔａｔｕｓ  Ｍｅｓｓａｇｅ）値を扱い易くするための品質値（Ｑｕａｌｉｔｙ  Ｌｅｖｅｌ）に変換する。ＳＳＭバス制御部５４は、ＳＳＭバスの制御を行う。外部入力インタフェース５６は、外部入力２Ｍｂｐｓ及び２ＭＨｚのインタフェースを行う。
【発明の開示】
【発明が解決しようとする課題】
【００１０】
従来のＳＤＨ伝送装置の同期機能は、標準となる規格が今まで無かったため、独自の方式が用いられてきたが、９９年６月にＩＴＵ−Ｔ  Ｇ．７８１（Ｓｙｎｃｈｒｏｎｉｚａｔｉｏｎ  Ｌａｙｅｒ  Ｆｕｎｃｔｉｏｎ）が勧告され、この勧告に準拠させていかなければならなくなった。
【００１１】
従来装置の同期機能において、外部２ＭｂｐｓＳＳＭ機能はアシュームドＳＳＭ機能だけであったが勧告によりインカミングＳＳＭ機能が追加になり、ＳＴＭ−ｎ  ＳＳＭ機能はインカミングＳＳＭ機能だけであったが勧告によりアシュームドＳＳＭ機能が追加になった。また、タイミングソース切替えではＱＬ−Ｅｎａｂｌｅ機能だけであったがＱＬ−Ｄｉｓａｂｌｅ機能が追加になり、ホールドオフタイム機能及びウエイトリストア機能が追加になり、ソース切り換えの状態遷移が新たになった。このため、従来装置の同期機能は上記ＩＴＵ−Ｔ勧告に準拠しなくなったという問題があった。
【００１２】
本発明は、上記の点に鑑みなされたものであり、従来の機能を利用してソース切り換えの状態遷移をＩＴＵ−Ｔ  Ｇ．７８１勧告に準拠する伝送装置を提供することを目的とする。
【課題を解決するための手段】
【００１３】
請求項１に記載の発明は、電源投入後の強制フリーランモードから顧客の指示によりホールドオーバー用のメモリをリセットする自動選択フリーランモードに遷移することにより、自動選択フリーランモードを追加することができる。
【００１４】
請求項２に記載の発明は、自動選択フリーランモードからタイミングソースの優先度設定によりホールドオーバー用メモリを更新する自動選択第１ロックドモードに遷移することにより、自動選択第１ロックドモードを追加することができる。
【００１５】
請求項３に記載の発明は、前記自動選択第１ロックドモードから前記ホールドオーバー用メモリの更新が一周以上したことにより前記ホールドオーバー用メモリを更新を続け優先度設定された全てのタイミングソースの断によりホールドオーバーモードに遷移する自動選択第２ロックドモードに遷移することにより、追加した自動選択第１ロックドモードから自動選択第２ロックドモードに遷移することができる。
【００１６】
請求項４に記載の発明は、前記自動選択第２ロックドモードから前記ホールドオーバー用メモリの更新が一周未満における優先度設定された全てのタイミングソースの断により前記自動選択フリーランモードに遷移することにより、自動選択第２ロックドモードから追加した自動選択フリーランモードに遷移することができる。
【発明の効果】
【００１７】
本発明によれば、電源投入後の強制フリーランモードから顧客の指示によりホールドオーバー用のメモリをリセットする自動選択フリーランモードに遷移することにより、自動選択フリーランモードを追加することができる。
【発明を実施するための最良の形態】
【００１８】
図３は、本発明におけるクロスコネクト及び同期部１５内の同期部６０の一実施例のブロック図を示す。同図中、タイミングソースインタフェース部（Ｔｉｍｉｎｇ  Ｓｏｕｒｃｅ  Ｉｎｔｅｒｆａｃｅ）６２は、各種タイミングソースのインタフェース機能を持ち、チャネル装置及び外部入力インタフェース８６からタイミングソース供給されており、優先度１〜４（Ｐｒｉ１〜４）の装置クロックをＥＣ選択部６６に供給し、優先度１〜４（Ｐｒｉ１〜４）のラインクロックをＬＣ選択部８０に供給する。内部クロック源６４は３２．７６８ＭＨｚ±４．６ｐｐｍの内部クロックを生成する固定発振器であり、内部クロックはタイミングソースとして使用される他に、ホールドオーバー動作用のクロックとしても使用される。
【００１９】
ＥＣ（Ｅｑｕｉｐｍｅｎｔ  Ｃｌｏｃｋ）選択部６６は、ＥＣ側のタイミングソースをタイミングソース選択部６８からの情報により切り替える。ホールドオーバー部７０は、ＥＣ側のタイミングソースが全て未使用となった場合に陥るホールドオーバー機能を提供する。ＰＬＬ７２は  ＥＣ選択部６６で選択されたタイミングソースを基準として、装置クロックＥＣをタイミングソースに同期させるために設けられている。ＥＣ生成部７４は装置クロック及び装置クロックに同期したクロックＥＣ２Ｍｂｐｓ及び信号ＥＣ２ＭＨｚを生成する。モード選択部７６は、プロビジョニング信号により外部出力をＥＣ生成部７４からの信号もしくはＬＣ生成部７８からの信号に切り替える。
【００２０】
ＬＣ生成部７８は、ＬＣ選択部８０で選択されたタイミングソースに同期したクロックＬＣ（Ｌｉｎｅ  Ｃｌｏｃｋ）２Ｍｂｐｓ及び信号ＬＣ２ＭＨｚを生成する。ＬＣ選択部８０は、ＬＣ側のタイミングソースをタイミングソース選択部６８からの情報により切り替える。タイミングソース選択部６８は、優先度が設定されているタイミングソースの品質値（ＱＬ：Ｑｕａｌｉｔｙ  Ｌｅｖｅｌ）を比較し、この比較結果に応じてＥＣ選択部６６及びＬＣ選択部８０の切替え制御信号ＳＷ  ＣＯＮＴを生成する。この切替え制御信号ＳＷ  ＣＯＮＴは保護部９４を通してＥＣ選択部６６，ＬＣ選択部８０それぞれに供給される。
【００２１】
ＳＳＭ変換部８２は、受信した信号の同期状態を表すＳＳＭ（Ｓｙｎｃｈｒｏｎｉｚａｔｉｏｎ  Ｓｔａｔｕｓ  Ｍｅｓｓａｇｅ）値を扱い易くするための品質値（Ｑｕａｌｉｔｙ  Ｌｅｖｅｌ）に変換してタイミングソース選択部６８に供給する。ＳＳＭバス制御部８４は、ＳＳＭバスの制御を行う。外部入力インタフェース８６は、外部入力信号２Ｍｂｐｓ及びクロック２ＭＨｚのインタフェースを行う。
【００２２】
ここで、２Ｍｂｐｓの外部入力のＳＳＭ機能について説明する。２Ｍｂｐｓの外部入力信号のフレーム構成は図４に示すようになっている。２Ｍｂｐｓのマルチフレームは１６フレームで構成され、上位８フレームをサブマルチフレームIと呼び下位８フレームをサブマルチフレームIIと呼ぶ。各々のフレームは３２のタイムスロットで構成されており、先頭のタイムスロット（Ｔｉｍｅ  Ｓｌｏｔ０）にフレームパターン（ＦＡＳ，ＮＦＡＳ）及びＯＨＢが付加されている。
【００２３】
図５は、各フレームの先頭のタイムスロット（Ｔｉｍｅ  Ｓｌｏｔ０）の構成を示す。同図中、Ｅ１，Ｅ２はＣＲＣ−４（Ｃｙｃｌｉｃ  Ｒｅｄｕｎｄａｎｃｙ  Ｃｈｅｃｋ−４）のエラー表示ビットであり、ＡはＲＡＩ（Ｒｅｍｏｔｅ  Ａｌａｒｍ  Ｉｎｄｉｃａｔｉｏｎ）ビットである。また、Ｃ１〜Ｃ４  はＣＲＣ−４ビットであり、Ｓａ４１〜Ｓａ８４  はＳＳＭの送受に使用するスペアビットである。ＳＳＭはサブマルチフレーム（ＳＦＭ）毎のＳａｎ１〜Ｓａｎ４（ｎ＝４〜８）の４ビットに設定されてくる。ＭＳＢはＳａｎ１でＬＳＢはＳａｎ４となる。どのＳａｎ１〜Ｓａｎ４のＳＳＭを抽出するかは顧客設定による。受信したＳＳＭは３段の保護を取る（３回連続しての同一検出）必要がある。
【００２４】
図６は、本発明装置の外部２Ｍｂｐｓインタフェース回路の一実施例のブロック図を示す。この外部２Ｍｂｐｓインタフェース回路は図３に示す外部入力インタフェース８６内の一部である。また、この回路に対応する従来回路の構成を図７に示す。図６，図７において、同一部分には同一符号を付す。
【００２５】
図６において、Ｂ／Ｕ部１００は、外部より供給される２Ｍｂｐｓのバイポーラ信号をユニポーラ信号に変換する。また、２Ｍｂｐｓのバイポーラ信号からクロック成分を抽出する機能も有している。ＨＤＢ３ＤＥＣ部１０２は、２Ｍｂｐｓ信号がＨＤＢ３符号則で送られてくるため、ＨＤＢ３符号を復号化する。同期障害検出部１０４は、復号された２Ｍｂｐｓの信号の同期障害を検出してＳＳＭバス制御部８４に通知すると共に、同期障害アラームを図１に示すマイクロコンピュータ２２に通知する。また、レジスタ１０６にはマイクロコンピュータ２２のプロビジョニング項目「ＰＲＯＶ  ＳＳＭ」により例えば”００１０”などのアシュームドＳＳＭ値が設定され、ＳＳＭバス制御部８４に通知される。
【００２６】
本発明で追加されたＣＲＣ−４エラー検出部１０８は、マルチフレームのＣＲＣ−４ビットＣ１〜Ｃ４を監視してエラーを検出すると保護部１１２に通知する。ＳＳＭ抽出部１１０は２Ｍｂｐｓ信号に設定されているＳＳＭ情報を抽出して保護部１１２に供給する。保護部１１２は、受信したＳＳＭの３段の保護を取る。この保護により、３回連続して同一のＳＳＭ値は現在受信しているインカミングＳＳＭ値としてＳＳＭモニタ部１１４からコンディショニング項目「ＳＳＭ  ＭＯＮ」でマイクロコンピュータ２２に通知されると共に、選択部１１６に供給される。
【００２７】
選択部１１６は、マイクロコンピュータ２２のプロビジョニング項目「ＩＮＣ／ＡＳＳ  ＳＥＬ」により、保護部１１２からのインカミングＳＳＭ、または、レジスタ１０６からのアシュームドＳＳＭのいずれかを選択してＳＳＭバス制御部８４に通知する。
【００２８】
図８は、本発明装置の集合側のチャネル装置の一実施例のブロック図を示す。また、これに対応する従来のチャネル装置の構成を図９に示す。図８，図９において、同一部分には同一符号を付す。
【００２９】
図８において、同期障害検出部１２０は、同期転送モジュールＳＴＭ−ｎの同期障害を検出して、コンディショニング項目「Ａｌａｒｍ」を通知すると共に、ＳＳＭバス制御部１２２，タイミングソースバス制御部１２４に通知する。また、Ｓ１バイト抽出部１２６は、同期転送モジュールＳＴＭ−ｎのＭＳＯＨ（Ｍｕｌｔｉｐｌｅｘ  Ｓｅｃｔｉｏｎ  ＯｖｅｒＨｅａｄ）内にあるＳ１バイト即ちＳＳＭ値を抽出して、ＳＳＭモニタ部１２８から現在受信しているインカミングＳＳＭ値としてコンディショニング項目「ＳＳＭ  ＭＯＮ」に通知すると共に、選択部１３０に供給する。
【００３０】
なお、同期転送モジュールＳＴＭ−ｎ（ｎ＝１／４／１６）のＳＳＭ値は、図１０に示すフォーマットのＭＳＯＨ内のＳ１バイトによって伝送されてくる。Ｓ１バイトは下位４ビットがＳＳＭとして定義されている（ＩＴＵ−Ｔ  Ｇ．７０７  ９．２．２．１１項）。Ｓ１バイトの上位４ビットは使用されない。
【００３１】
図８において、分周部１３２は、ＳＴＭ−ｎの信号から抽出したクロックを、タイミングソースとしての２．０４８ＭＨｚまで分周してタイミングソースバス制御部１２４に供給する。ＳＳＭバス制御部１２２は、クロスコネクト及び同期部１５とＳＳＭ情報の送受を行っているＳＳＭバスの制御を行う。また、全１挿入部１３４に対してタイミングループの防止制御を行う。タイミングソースバス制御部１２４は、プロビジョニング情報により、タイミングソースバスの制御を行う。
【００３２】
ＰＬＬ１３６は、装置クロックを基準とし、ＳＴＭ−ｎ出力を装置クロックに同期させる。Ｓ１バイト挿入部１３８は、ＳＳＭバス制御部１２２からのＳＳＭ情報をＳＴＭ−ｎのＭＳＯＨ内にあるＳ１バイトに挿入する。全１挿入部１３４は、プロビジョニング項目「Ｓ１  ＥＮＡ／ＤＩＳ」及びＳＳＭバス制御部１２２からの情報により、ＳＴＭ−ｎのＭＳＯＨ内にあるＳ１バイトに挿入するＳＳＭ情報を全ビット１にする。
【００３３】
ＩＴＵ−Ｔ  Ｇ．７８１  ５．４．３項では同期転送モジュールＳＴＭ−ｎのタイミングソースに対してもアシュームドＳＳＭ機能を持つように要求されているため、レジスタ１４０及び選択部１３０を追加している。レジスタ１４０にはマイクロコンピュータ２２のプロビジョニング項目「ＰＲＯＶ  ＳＳＭ」により例えば”００１０”などのアシュームドＳＳＭ値が設定される。選択部１３０は、プロビジョニング項目「ＩＮＣ／ＡＳＳ  ＳＥＬ」により、Ｓ１バイト抽出部１２６からのインカミングＳＳＭ、または、レジスタ１４０からのアシュームドＳＳＭのいずれかを選択してＳＳＭバス制御部８４に通知する。
【００３４】
従来は常にＳＳＭ値を変換した品質値（Ｑｕａｌｉｔｙ  Ｌｅｖｅｌ）を監視し、これが変化したことに基づいてタイミングソースの切替えを行うＱＬ（Ｑｕａｌｉｔｙ  Ｌｅｖｅｌ）−Ｅｎａｂｌｅ機能であったが、ＩＴＵ−Ｔ  Ｇ．７８１（５．１２．２）ではＱＬ−Ｄｉｓａｂｌｅ機能の要求されている。
【００３５】
ＱＬ−Ｅｎａｂｌｅ機能は、ＳＳＭ値を変換した品質値／Ｓｉｇｎａｌ  Ｆａｉｌ  ｖｉａ  ＱＬ−Ｆａｉｌｅｄ（つまり、ＳＳＭ値が全ビット１で信号が使用できない）／優先度（同一ＱＬが複数の場合は優先度が高い方）／外部コマンド（顧客からのマニュアルスイッチ操作等）、それぞれを切替え要因としてタイミングソースの切替えが制御されるものである。
【００３６】
これに対し、ＱＬ−Ｄｉｓａｂｌｅ機能はＳｉｇｎａｌ  Ｆａｉｌ（信号が使用できない）／優先度（同一ＱＬが複数の場合は優先度が高い方）／外部コマンド（顧客からのマニュアルスイッチ操作等）、それぞれによってタイミングソースの切替えが制御されるものである。
【００３７】
図３において、ＥＣダウン検出部９０は、タイミングソースインタフェース部６２から出力されるＥＣ側の複数のタイミングソースのダウン検出を行い、ダウン検出信号をタイミングソース選択部６８に供給する。ＬＣダウン検出部９２は、タイミングソースインタフェース部６２から出力されるＬＣ側の複数のタイミングソースのダウン検出を行い、ダウン検出信号をタイミングソース選択部６８に供給する。
【００３８】
タイミングソース選択部６８には図１１に示す選択部９４が設けられている。選択部９４には、ＥＣダウン検出部９０またはＬＣダウン検出部９２からのダウン検出信号ＥＣ／ＬＣ  ＤＷＮ  ＤＥＴと、ＳＳＭ変換部８２から品質値（ＱＬ）を供給されている。選択部９４はマイクロコンピュータ２２のプロビジョニング項目が「ＱＬ−  Ｅｎａｂｌｅ」の場合は品質値を選択し、マイクロコンピュータ２２のプロビジョニング項目「ＱＬ−Ｄｉｓａｂｌｅ」の場合はダウン検出信号ＥＣ／ＬＣ  ＤＷＮ  ＤＥＴを選択して、ＥＣ選択部６６及びＬＣ選択部８０の切替え制御を行う。
【００３９】
従来のタイミングソースの切替えは図１２に示すようにタイマクロックの２周期以内に行われる即時動作であり、また、タイミングソースの切り戻しも図１３に示すようにタイマクロックの２周期以内に行われる即時動作であったが、ＩＴＵ−Ｔ  Ｇ．７８１  ５．８項には短時間の障害では切替え／切り戻し動作しないようＨｏｌｄ−ｏｆｆ  Ｔｉｍｅ／Ｗａｉｔ  ｔｏ  Ｒｅｓｔｏｒｅ  Ｔｉｍｅが要求されている。
【００４０】
このため、本発明では図３に示すタイミングソース選択部６８と、ＥＣ選択部６６及びＬＣ選択部８０との間に保護部９４を設け、切替え信号を設定時間分の保護を行い、ＥＣ選択部６６及びＬＣ選択部８０に通知する。
【００４１】
タイミングソース選択部６８は、図１４に示すように、優先度（Ｐｒｉ）１〜４の各信号の品質値（Ｑｕａｌｉｔｙ  Ｌｅｖｅｌ）を比較して最も品質値が高い（小さい）優先度（Ｐｒｉ）の信号を選択する切替え制御信号を生成する。これによって、当初は優先度（Ｐｒｉ）１の信号が選択されるが、この優先度（Ｐｒｉ）１の信号の品質値が２から６に低下すると、タイミングソース選択部６８はタイマクロックの２周期以内に品質値が２である優先度（Ｐｒｉ）３の信号を選択する切替え制御信号を生成する。この信号は保護部９４に供給され、所定時間（Ｈｏｌｄ−ｏｆｆ  ｔｉｍｅ）だけ保護、即ち所定時間持続したときに信号変化が反映されて、ＥＣ選択部６６及びＬＣ選択部８０に供給される。上記の所定時間（Ｈｏｌｄ−ｏｆｆ  ｔｉｍｅ）はマイクロコンピュータ２２から設定された値である。
【００４２】
また、タイミングソース選択部６８は、図１５に示すように、当初、優先度（Ｐｒｉ）２の信号を選択しており、優先度（Ｐｒｉ）１の信号の品質値が６から２に上がると、タイミングソース選択部６８はタイマクロックの２周期以内に品質値が２である優先度（Ｐｒｉ）１の信号を選択する切替え制御信号を生成する。この信号は保護部９４で所定時間（ＷＴＲ  ｔｉｍｅ：Ｗａｉｔ  Ｔｏ  Ｒｅｓｔｏｒｅ  ｔｉｍｅ）だけ保護、即ち所定時間持続したときに信号変化が反映されて、ＥＣ選択部６６及びＬＣ選択部８０に供給される。上記の所定時間（ＷＴＲ  ｔｉｍｅ）はマイクロコンピュータ２２から設定された値である。
【００４３】
従来の同期部では図１６に示すように、強制フリーランモード（Ｆｏｒｃｅｄ  ｆｒｅｅｒｕｎ  Ｏｐｅｒａｔｉｏｎ  Ｍｏｄｅ），自動選択処理モード（Ａｕｔｏ  Ｓｅｌｅｃｔｉｏｎ  Ｏｐｅｒａｔｉｏｎ  Ｍｏｄｅ）内の自動選択ロックドモード（Ｌｏｃｋｅｄ  Ｍｏｄｅ），自動選択ホールドオーバーモード（Ｈｏｌｄｏｖｅｒ  Ｍｏｄｅ），強制ホールドオーバーモード（Ｆｏｒｃｅｄ  Ｈｏｌｄｏｖｅｒ  Ｏｐｅｒａｔｉｏｎ  Ｍｏｄｅ）の各モードでな状態遷移を行っていたが、ＩＴＵ−Ｔ  Ｇ．７８１  ６．３項には、図１７に示すように、自動選択処理モードに自動選択フリーランモード（ｆｒｅｅｒｕｎ  Ｍｏｄｅ）と自動選択第１ロックドモード（Ｌｏｃｋｅｄ  Ｍｏｄｅ  ａｃｑｕｉｒｉｎｇ  ｈｏｌｄｏｖｅｒ  ｍｅｍｏｒｙ）が追加されている。なお、図１６，図１７で同一部分には同一符号を付す。
【００４４】
図３に示す状態遷移管理部９６では、装置電源が投入されるか、または、自動選択処理モードから顧客の指示（ＭＡＮＵＡＬ／ＦＯＲＣＥ）により、図１７に示す強制的に内部クロック（ｆｒｅｅｒｕｎ）を選択する強制フリーランモード（Ｆｏｒｃｅｄ  ｆｒｅｅｒｕｎ  Ｏｐｅｒａｔｉｏｎ  Ｍｏｄｅ）２００となる。この時、ホールドオーバー用のメモリはリセットされる。
【００４５】
ここで、顧客が「ＡＵＴＯ  ＳＥＬＥＣＴ」を設定すると、自動選択フリーランモード（Ａｕｔｏ  Ｓｅｌｅｃｔｉｏｎ  Ｏｐｅｒａｔｉｏｎ  Ｍｏｄｅ  ｆｒｅｅｒｕｎ  Ｍｏｄｅ）２１０となる。この自動選択フリーランモード２１０は、顧客がタイミングソースを入力するまでの一時的なものである。この時、ホールドオーバー用のメモリはリセットされる。
【００４６】
自動選択第１ロックドモード（Ｌｏｃｋｅｄ  Ｍｏｄｅ（ＡｃｑｕｉｒｉｎｇＨｏｌｄｏｖｅｒ  Ｍｅｍｏｒｙ））２２０は、顧客がタイミングソースの優先度を設定した直後で、ホールドオーバー用のメモリ（ホールドオーバー部７０に内蔵）を更新中の時のモードである。このメモリの更新が一周（タイミングソースを再生するに充分な情報を一周と呼ぶ）以上すれば、自動選択第２ロックドモード（Ｌｏｃｋｅｄ  Ｍｏｄｅ（Ｈｏｌｄｏｖｅｒ  Ｍｅｍｏｒｙ  Ａｃｑｕｉｒｅｄ））２３０に遷移する。また、メモリの更新が一周未満であるときに顧客が入力した全てのタイミングソースが使用不可（ＤＮＵ）になった場合には、自動選択フリーランモード２１０に遷移する。自動選択第２ロックドモード２３０では、常にメモリは更新され続ける。顧客が優先度設定した全てのタイミングソースが使用不可になった場合は、ホールドオーバーモード（Ｈｏｌｄｏｖｅｒ  Ｍｏｄｅ）２４０に遷移する。
【００４７】
ホールドオーバーモード２４０では、ホールドオーバー用のメモリに蓄積された情報で動作する。ホールドオーバー用のメモリの更新を中止し、メモリ復旧した場合は自動選択第２ロックドモード２３０に遷移する。
【００４８】
強制ホールドオーバーモード（Ｆｏｒｃｅｄ  Ｈｏｌｄｏｖｅｒ  Ｏｐｅｒａｔｉｏｎ  Ｍｏｄｅ）２５０では、自動選択処理モードから顧客の指示（ＭＡＮＵＡＬ／ＦＯＲＣＥ）により強制的にホールドオーバータイミングを選択する。この時、ホールドオーバー用のメモリの更新を中止し、メモリに蓄積された情報で動作する。
【００４９】
（付記１）  ＳＤＨ方式の伝送装置において、
２Ｍｂｐｓの外部入力信号のスペアビットから信号の同期状態を表すＳＳＭを抽出するＳＳＭ抽出部と、
前記ＳＳＭ抽出部からのＳＳＭと、制御用マイクロコンピュータから設定されているＳＳＭとのいずれかを選択する第１選択部とを
有することを特徴とする伝送装置。
【００５０】
（付記２）  付記１記載の伝送装置において、
前記ＳＳＭ抽出部で抽出されたＳＳＭが所定回数連続して同一の場合に前記ＳＳＭを有効とする保護部を
有することを特徴とする伝送装置。
【００５１】
（付記３）  ＳＤＨ方式の伝送装置において、
外部入力の同期転送モジュール信号のＳ１バイトから信号の同期状態を表すＳＳＭを抽出するＳ１バイト抽出部と、
制御用マイクロコンピュータからＳＳＭを設定されるレジスタと、
前記Ｓ１バイト抽出部からのＳＳＭと、前記レジスタからのＳＳＭとのいずれかを選択する第２選択部とを
有することを特徴とする伝送装置。
【００５２】
（付記４）  付記１記載の伝送装置において、
外部入力信号のＳＳＭが変化したことを検出してタイミングソースの切替えを行う第１切替手段と、
全てのタイミングソースの断を検出してタイミングソースの切替えを行う第２切替手段と、
前記第１切替手段と第２切替手段とを選択する第３選択部とを
有することを特徴とする伝送装置。
【００５３】
（付記５）  付記４記載の伝送装置において、
タイミングソースの切替え動作の保護を行う切替保護手段を
有することを特徴とする伝送装置。
【００５４】
（付記６）  付記４記載の伝送装置において、
タイミングソースの切り戻し動作の保護を行う切り戻し保護手段を
有することを特徴とする伝送装置。
【００５５】
（付記７）  ＳＤＨ方式の伝送装置において、
電源投入後の強制フリーランモードから顧客の指示によりホールドオーバー用のメモリをリセットする自動選択フリーランモードに遷移することを特徴とする伝送装置。
【００５６】
（付記８）  付記７記載の伝送装置において、
前記自動選択フリーランモードからタイミングソースの優先度設定によりホールドオーバー用メモリを更新する自動選択第１ロックドモードに遷移することを特徴とする伝送装置。
【００５７】
（付記９）  付記８記載の伝送装置において、
前記自動選択第１ロックドモードから前記ホールドオーバー用メモリの更新が一周以上したことにより前記ホールドオーバー用メモリを更新を続け優先度設定された全てのタイミングソースの断によりホールドオーバーモードに遷移する自動選択第２ロックドモードに遷移することを特徴とする伝送装置。
【００５８】
（付記１０）  付記９記載の伝送装置において、
前記自動選択第２ロックドモードから前記ホールドオーバー用メモリの更新が一周未満における優先度設定された全てのタイミングソースの断により前記自動選択フリーランモードに遷移することを特徴とする伝送装置。
【００５９】
（付記１１）  付記２記載の伝送装置において、
前記所定回数は、３回であることを特徴とする伝送装置。
【００６０】
（付記１２）  付記１１記載の伝送装置において、
前記保護部で有効とされたＳＳＭを前記制御用マイクロコンピュータでモニタ可能とすることを特徴とする伝送装置。
【００６１】
（付記１３）  付記５記載の伝送装置において、
前記切替保護手段は、前記制御用マイクロコンピュータから切替え動作の保護時間を設定されることを特徴とする伝送装置。
【００６２】
（付記１４）  付記６記載の伝送装置において、
前記切り戻し保護手段は、前記制御用マイクロコンピュータから切り戻し動作の保護時間を設定されることを特徴とする伝送装置。
【図面の簡単な説明】
【００６３】
【図１】ＳＤＨ伝送装置の一例の概念図である。
【図２】従来の同期部３０の一例のブロック図である。
【図３】本発明における同期部６０の一実施例のブロック図である。
【図４】２Ｍｂｐｓのフレーム構成を示す図である。
【図５】各フレームの先頭のタイムスロットの構成を示す図である。
【図６】本発明装置の外部２Ｍｂｐｓインタフェース回路の一実施例のブロック図である。
【図７】従来の外部２Ｍｂｐｓインタフェース回路の一例のブロック図である。
【図８】本発明装置の集合側のチャネル装置の一実施例のブロック図である。
【図９】従来の集合側のチャネル装置の一例のブロック図である。
【図１０】同期転送モジュールのフォーマットを示す図である。
【図１１】選択部９４の一実施例のブロック図である。
【図１２】従来のタイミングソースの切替えを示す図である。
【図１３】従来のタイミングソースの切替えを示す図である。
【図１４】本発明のタイミングソースの切替えを示す図である。
【図１５】本発明のタイミングソースの切替えを示す図である。
【図１６】従来の同期部の状態遷移を表す図である。
【図１７】本発明の同期部の状態遷移を表す図である。
【符号の説明】
【００６４】
１５  クロスコネクト及び同期部
６２  タイミングソースインタフェース部
６４  内部クロック源
６６  ＥＣ選択部
６８  タイミングソース選択部
７０  ホールドオーバー部
７２  ＰＬＬ
７４  ＥＣ生成部
７６  モード選択部
７８  ＬＣ生成部
８０  ＬＣ選択部
８２  ＳＳＭ変換部
８４  ＳＳＭバス制御部
８６  外部入力インタフェース
９０  ＥＣダウン検出部
９２  ＬＣダウン検出部
９４  保護部
【図１】
2006121741.tif 000003
【図２】
2006121741.tif 000004
【図３】
2006121741.tif 000005
【図４】
2006121741.tif 000006
【図５】
2006121741.tif 000007
【図６】
2006121741.tif 000008
【図７】
2006121741.tif 000009
【図８】
2006121741.tif 000010
【図９】
2006121741.tif 000011
【図１０】
2006121741.tif 000012
【図１１】
2006121741.tif 000013
【図１２】
2006121741.tif 000014
【図１３】
2006121741.tif 000015
【図１４】
2006121741.tif 000016
【図１５】
2006121741.tif 000017
【図１６】
2006121741.tif 000018
【図１７】
2006121741.tif 000019